(57)【要約】【課題】フロアの意匠変更を行う場合、三方枠が損傷した場合やリニューアルの改修工事などの場合に、簡単な作業で容易に交換すること。【解決手段】エレベータの三方枠は、昇降路と乗場９０との間に設けられた乗場出入口に設置される。この三方枠は、上下方向に延在する縦補強枠９と、縦補強枠９に開閉部材１１を介して連結されるとともに、乗場９０側の建築物の壁面まで延び、上下方向に延在する意匠枠８と、を備えている。開閉部材１１は、意匠枠８に設けられた第一開閉部材１１ａと、縦補強枠９に設けられた第二開閉部材１１ｂとを有し、第一開閉部材１１ａと該第二開閉部材１１ｂとは着脱自在となっている。意匠枠８の下端には、当該意匠枠８を支持するとともに移動可能とする可動部材４０が設けられている。【選択図】図２
2009166959.tif 000002
【特許請求の範囲】
【請求項１】
昇降路と乗場との間に設けられた乗場出入口に設置されるエレベータの三方枠において、
上下方向に延在する縦補強枠と、
前記縦補強枠に開閉部材を介して連結されるとともに、乗場側の建築物の壁面まで延び、上下方向に延在する意匠枠と、を備え、
前記開閉部材は、前記意匠枠に設けられた第一開閉部材と、前記縦補強枠に設けられた第二開閉部材とを有し、
該第一開閉部材と該第二開閉部材とは着脱自在であり、
前記意匠枠の下端に、当該意匠枠を支持するとともに移動可能とする可動部材が設けられたことを特徴とする三方枠。
【請求項２】
前記第一開閉部材は、前記意匠枠の裏面に位置することを特徴とする請求項１に記載の三方枠。
【請求項３】
前記開閉部材は、軸ピンを有する一方の抜差し蝶番と、該一方の抜差し蝶番の軸ピンが着脱自在なナックルを有する他方の抜差し蝶番とを有する抜差し蝶番セットからなることを特徴とする請求項１に記載の三方枠。
【請求項４】
前記第一開閉部材は、前記意匠枠の上下方向に沿った複数箇所に設けられ、
前記第二開閉部材は、前記縦補強枠の上下方向に沿った複数箇所に設けられ、
各第ニ開閉部材は、第一開閉部材に対応して設けられていることを特徴とする請求項１に記載の三方枠。
【請求項５】
乗場側の建築物の裏面に開口を有する鍵受け部材が設けられ、
前記意匠枠の乗場側の裏面に、前記鍵受け部材の開口に挿入自在なラッチ部を有する鍵部材が取り付けられたことを特徴とする請求項１に記載の三方枠。
【請求項６】
前記意匠枠は、金属材料からなり、
乗場側の建築物の裏面に、前記意匠枠に取り付け自在なマグネットが設けられていること特徴とする請求項１に記載の三方枠。
【請求項７】
前記意匠枠の前面に、ホールランタンおよび／または押しボタンが設置されたことを特徴とする請求項１に記載の三方枠。
【請求項８】
昇降路と乗場との間に設けられた乗場出入口に設置されるエレベータの三方枠において、
上下方向に延在する一対の縦枠と、
各縦枠の上方部の間に延在する幕板取付枠と、
前記幕板取付枠に開閉部材を介して連結されるとともに、各縦枠の上方部の間で延在する幕板表面材と、を備え、
前記開閉部材は、前記幕板表面材に設けられた第一開閉部材と、前記幕板取付枠に設けられた第二開閉部材とを有し、
該第一開閉部材と該第二開閉部材とは着脱自在であることを特徴とする三方枠。
【発明の詳細な説明】
【技術分野】
【０００１】
本発明は、昇降路と乗場との間の乗場出入口に設置されるエレベータの三方枠に関連している。
【背景技術】
【０００２】
従来のエレベータの三方枠は、上下方向に延びる一対の縦枠２と、当該縦枠２の間に水平方向に延在する上枠１（図１７参照）または幕板３（図１８参照）と、を有しており、門形に構成されている。なお、上枠１は一対の縦枠２の上に乗せられているのに対して（図１７参照）、幕板３は、一対の縦枠２の上部の間に取り付けられている（図１８参照）。また、一対の縦枠２の間には、ホールドア４が設けられている。
【０００３】
一般的に、エレベータの三方枠は、上枠１と一対の縦枠２、または、幕板３と一対の縦枠２をそれぞれ組み合わせた後、ボルトなどの締結部材で固定し、組立てる。そして、図１９および図２０に示すように、三方枠は、建物の仕上壁６に固定材７を用いて、左右数箇所で完全に固定される。このため、現地改造やリニューアルのような改修工事がない限り、一度建物に据付けたら半永久的に取外されるようなことはない。なお、図２０は、図１９を直線Ａ−Ａで切断した断面図である。図２０において、縦枠２は固定材７に溶接により固定されている。
【０００４】
なお、エレベータの三方枠の縦枠が開閉すること（例えば、特許文献１）、および、エレベータのかごの出入口天井が開閉すること（例えば、特許文献２）は知られている。
【特許文献１】特開２００２−１６０８７９号公報
【特許文献２】特開２００４−０１０２７５号公報
【発明の開示】
【発明が解決しようとする課題】
【０００５】
しかしながら、従来の三方枠では、建物内のフロアの改装や模様替えなどの意匠変更を行なっても、一部改造や総取換えしない限り、そのままの意匠である。また、三方枠が損傷した場合も、総取換えもしくは部分的な補修が必要となる。
【０００６】
また、リニューアルのような改修工事を行なう場合には、三方枠が完全に固定されている状態での工事を行うか、または、三方枠ごと設置場所から取外す解体工事が必要となる。特に、後者のように解体工事を行う場合には、工事用機具の扱いや作業スペースの確保など作業性の問題もあり、多大な時間と労力を要する。
【０００７】
本発明は、このような点を考慮してなされたものであり、フロアの意匠変更を行う場合、三方枠が損傷した場合やリニューアルの改修工事などの場合に、簡単な作業で容易に交換することができる三方枠を提供することを目的とする。
【課題を解決するための手段】
【０００８】
本発明の第１の態様による三方枠は、
昇降路と乗場との間に設けられた乗場出入口に設置されるエレベータの三方枠において、
上下方向に延在する縦補強枠と、
前記縦補強枠に開閉部材を介して連結されるとともに、乗場側の建築物の壁面まで延び、上下方向に延在する意匠枠と、を備え、
前記開閉部材は、前記意匠枠に設けられた第一開閉部材と、前記縦補強枠に設けられた第二開閉部材とを有し、
該第一開閉部材と該第二開閉部材とは着脱自在であり、
前記意匠枠の下端に、当該意匠枠を支持するとともに移動可能とする可動部材が設けられている。
【０００９】
本発明の第１の態様による三方枠において、前記第一開閉部材は、前記意匠枠の裏面に位置することが好ましい。
【００１０】
本発明の第１の態様による三方枠において、前記開閉部材は、軸ピンを有する一方の抜差し蝶番と、該一方の抜差し蝶番の軸ピンが着脱自在なナックルを有する他方の抜差し蝶番とを有する抜差し蝶番セットからなることが好ましい。
【００１１】
本発明の第１の態様による三方枠において、前記第一開閉部材は、前記意匠枠の上下方向に沿った複数箇所に設けられ、前記第二開閉部材は、前記縦補強枠の上下方向に沿った複数箇所に設けられ、各第ニ開閉部材は、第一開閉部材に対応して設けられていることが好ましい。
【００１２】
本発明の第１の態様による三方枠において、乗場側の建築物の裏面に開口を有する鍵受け部材が設けられ、前記意匠枠の乗場側の裏面に、前記鍵受け部材の開口に挿入自在なラッチ部を有する鍵部材が取り付けられたことが好ましい。
【００１３】
本発明の第１の態様による三方枠において、前記意匠枠は、金属材料からなり、乗場側の建築物の裏面に、前記意匠枠に取り付け自在なマグネットが設けられていることが好ましい。
【００１４】
本発明の第１の態様による三方枠において、前記意匠枠の前面に、ホールランタンおよび／または押しボタンが設置されたことを特徴とする請求項１に記載の三方枠。
【００１５】
本発明の第２の態様による三方枠は、
昇降路と乗場との間に設けられた乗場出入口に設置されるエレベータの三方枠において、
上下方向に延在する一対の縦枠と、
各縦枠の上方部の間に延在する幕板取付枠と、
前記幕板取付枠に開閉部材を介して連結されるとともに、各縦枠の上方部の間で延在する幕板表面材と、を備え、
前記開閉部材は、前記幕板表面材に設けられた第一開閉部材と、前記幕板取付枠に設けられた第二開閉部材とを有し、
該第一開閉部材と該第二開閉部材とは着脱自在となっている。
【発明の効果】
【００１６】
本発明によれば、縦補強枠に、着脱自在な第一開閉部材と該第二開閉部材とからなる開閉部材を介して、意匠枠が連結されるか、または、幕板取付枠に、着脱自在な第一開閉部材と該第二開閉部材とからなる開閉部材を介して、幕板表面材が連結されるので、フロアの意匠変更を行う場合、三方枠が損傷した場合やリニューアルの改修工事などの場合に、簡単な作業で容易に交換することができる。
【発明を実施するための形態】
【００１７】
第１の実施の形態
以下、本発明に係る三方枠の第１の実施の形態について、図面を参照して説明する。ここで、図１乃至図１３は本発明の第１の実施の形態を示す図である。
【００１８】
図１に示すように、エレベータの三方枠は、昇降路と乗場９０との間に設けられた乗場出入口に設置されている。
【００１９】
この三方枠は、図１、図６、図９および図１１に示すように、上下方向に延在する一対の縦補強枠９と、当該一つの縦補強枠９の間に延在する幕板３と、を備えている。また、縦補強枠９には、乗場９０側の仕上壁（建築物）１５の壁面まで延び、上下方向に延在する意匠枠８が連結されている。なお、縦補強枠９は、従来通り固定材（図示せず）で、仕上壁１５や建築部材１６（後述する）などに固定されている。また、意匠枠８の昇降路側には上下方向に延びた昇降路側介在板８ａが設けられ、他方、意匠枠８の乗場９０側には、上下方向に延びた乗場側介在板８ｂが設けられている。
【００２０】
なお、図６は図１を直線VI-VIで切断して見た断面の一部を示した断面図であり、図９は図１を直線IX−IXで切断して見た断面の一部を示した断面図であり、図１１は図１を直線XI−XIで切断して見た断面の一部を示した断面図である。
【００２１】
図５および図７に示すように、意匠枠８は、開閉部材１１を介して、縦補強枠９に連結されている。そして、この開閉部材１１は、意匠枠８の裏面（乗場側と反対側の面）に設けられ、軸ピン（図示せず）を有する一方の抜差し蝶番（第一開閉部材）１１ａと、縦補強枠９に設けられ、一方の抜差し蝶番１１ａの軸ピンが着脱自在なナックル（図示せず）を有する他方の抜差し蝶番（第二開閉部材）１１ｂと、を有する抜差し蝶番セット１１からなっている（図７参照）。なお、図５は、意匠枠８が縦補強枠９に対して開閉される態様を示した平面図である。
【００２２】
図６において、他方の抜差し蝶番１１ｂは、蝶番取付台１０に溶接固定されており、この蝶番取付台１０は縦補強枠９に固定されている。他方、一方の抜差し蝶番１１ａは、蝶番取付ベース１０ａに溶接固定されており、この蝶番取付ベース１０ａは、意匠枠８に固定されている。
【００２３】
また、図２および図４に示すように、意匠枠８の下端には、当該意匠枠８を支持するとともに、移動可能とするキャスター（可動部材）４０がキャスター取付補強部材４１およびＬ字部材４２を介して設けられている。なお、キャスター４０は、キャスター取付補強部材４１に、ナットで固定されている。
【００２４】
また、図２に示すように、一方の抜差し蝶番１１ａは、意匠枠８の裏面であって、上下方向に沿った複数箇所に設けられている。そして、他方の抜差し蝶番１１ｂは、縦補強枠９であって、上下方向に沿った複数箇所に設けられており、他方の抜差し蝶番１１ｂの各々は、一方の抜差し蝶番１１ａに対応して設けられている（図６参照）。
【００２５】
また、図６、図９および図１１に示すように、乗場９０側の仕上壁１５の壁面の裏面（乗場側と反対側の面）には、建築部材１６が上下方向に延在して設けられており、この建築部材１６には、ブランケット取付ベース１３を介して、取付ブランケット１２が設けられている。
【００２６】
なお、この取付ブランケット１２は、図８に示すように、ブランケット取付ベース１３に設けられた複数のネジ部１３ａを、取付ブランケット１２に設けられた複数の穴部１２ａ内に挿入し、ナット８１でネジ部１３ａを締めることによって固定される。ところで、取付ブランケット１２とブランケット取付ベース１３との間には、二つの平座金８３が配置され、取付ブランケット１２とナット８１との間には、平座金８３とバネ座金８２が配置されている。
【００２７】
また、図８に示すように、取付ブランケット１２の表面には、複数のシリコンスポンジ７１が設けられており、このシリコンスポンジ７１は、図６に示すように、意匠枠８の乗場側介在板８ｂの裏面に当接するようになっている。
【００２８】
また、図７に示すように、蝶番取付ベース１０ａには開口１０ａｐが設けられている。そして、昇降路側介在板８ａに設けられたネジ部８ｑが、蝶番取付ベース１０ａの開口１０ａｐ内に挿入されるとともに、ナット８１によって締められている。なお、蝶番取付ベース１０ａとナット８１との間には、平座金８３が配置されている。他方、図６および図７に示すように、縦補強枠９には、ボルト８４によって、蝶番取付台１０が固定されている。なお、蝶番取付台１０とボルト８４との間には、平座金８３が配置されている。
【００２９】
また、図３に示すように、この取付ブランケット１２の上下方向の複数箇所には、切欠き１２ｐが設けられている（図３では４箇所）。そして、この切欠き１２ｐには、複数（図３では３つ）のマグネット６０が設けられるとともに、開口５２ａを有する鍵受け部材５２が設けられている。なお、意匠枠８は、金属材料からなっているので、取付ブランケット１２に設けられたマグネット６０によって、意匠枠８を建築部材１６に対して固定することができる。
【００３０】
ところで、図１０に示すように、取付ブランケット１２にはネジ部１２ｓが設けられ、このネジ部１２ｓをマグネット取付部材６１に設けられた穴部６１ａ内に挿入し、ナット８１でネジ部１２ｓを締めることによって固定される。また、取付ブランケット１２とマグネット取付部材６１との間には、平座金８３とバネ座金８２が配置されている。
【００３１】
他方、図２、図４、図１１および図１２に示すように、意匠枠８の乗場９０側の裏面には、鍵取付台５１を介して、鍵受け部材５２の開口に挿入自在なラッチ部５０ａを有する鍵部材５０が取り付けられている。このため、鍵穴（図示せず）内に鍵（図示せず）を入れて回転させることによって、ラッチ部５０ａを開口５２ａ（図１２参照）内に突出されることができ、意匠枠８を取付ブランケット１２に対して固定することができ、ひいては、意匠枠８を仕上壁１５や建築部材１６などに対して固定することができる。
【００３２】
また、図１２に示すように、乗場側介在板８ｂに設けられたネジ部８ｒが、鍵取付台５１の開口（図示せず）内に挿入されるとともに、ナット８１によって締められている。なお、鍵取付台５１とナット８１との間には、平座金８３が配置されている。他方、鍵受け部材５２には開口５２ｐが設けられている。そして、この開口５２ｐ内に、取付ブランケット１２に設けられたネジ部１２ｓが挿入され、ナット８１によって締められている。なお、鍵受け部材５２とナット８１との間には、平座金８３が配置されている。
【００３３】
なお、意匠枠８の前面には、ホールランタンや押しボタンなどが設置されてもよい。
【００３４】
また、上述した、取付ブランケット１２に取り付けられたマグネット６０およびシリコンスポンジ７１の表面は、意匠枠８が閉まったときに、ちょうど当該意匠枠８の裏面に当接する位置になるように調整されて、取り付けられている。
【００３５】
次に、このような構成からなる本実施の形態の作用について述べる。
【００３６】
以下、フロアの意匠変更を行う場合、三方枠が損傷した場合やリニューアルの改修工事などの場合に、旧い意匠枠８を新しい意匠枠８に交換する方法について説明する。
【００３７】
まず、鍵穴（図示せず）内に鍵（図示せず）を入れて回転させることによって、鍵受け部材５２の開口内に突出していたラッチ部５０ａを、鍵部材５０の内方へ移動させて鍵受け部材５２の開口から抜き出す（ロックを解除する）（図１２参照）。
【００３８】
次に、他方の抜差し蝶番１１ｂのナックルに挿着された一方の抜差し蝶番１１ａの軸ピンを中心として、意匠枠８を揺動させる（図５参照）。このとき、意匠枠８の下端にはキャスター４０が設けられているので、意匠枠８を抜差し蝶番を中心として容易に揺動させることができる（図２および図４参照）。また、このように容易に意匠枠８を揺動させることができるので、一方の抜差し蝶番１１ａと他方の抜差し蝶番１１ｂとの間に、過剰な荷重がかかることを防止することができる。なお、意匠枠８の乗場９０側の裏面は、取付ブランケット１２に設けられたマグネット６０の磁力によって保持されているだけなので、取付ブランケット１２から容易に取り外すことができる（図９参照）。
【００３９】
次に、意匠枠８を上方に移動させ、一方の抜差し蝶番１１ａの軸ピンを、補強枠に設けられた他方の抜差し蝶番１１ｂのナックルから抜き出す。その後、新しい意匠枠８の裏面に設けられた一方の抜差し蝶番１１ａの軸ピンを、補強枠に設けられた他方の抜差し蝶番１１ｂのナックル内に差し込む。このことによって、新しい意匠枠８が、補強枠に取り付けられることとなる。
【００４０】
次に、他方の抜差し蝶番１１ｂのナックルに挿着された一方の抜差し蝶番１１ａの軸ピンを中心として、意匠枠８を揺動させ（図５参照）、意匠枠８を、取付ブランケット１２に設けられたマグネット６０の磁力によって保持させる（図９参照）。このとき、取付ブランケット１２の表面には、シリコンスポンジ７１が設けられているので（図６および図８参照）、取付ブランケット１２から新しい意匠枠８に対して過剰な衝撃が加わることや、このような衝撃による衝撃音が発生することを防止することができる。
【００４１】
このように、本実施の形態によれば、フロアの意匠変更を行う場合、三方枠が損傷した場合やリニューアルの改修工事などの場合に、上述のような一連の工程を行うだけで、旧い意匠枠８を新しい意匠枠８に、簡単な作業で容易に交換することができる。
【００４２】
また、本実施の形態において、抜差し蝶番セット１１が意匠枠８の裏面に設けられている（図６参照）。このため、乗場９０側から抜差し蝶番セット１１が目にとまることはなく、意匠性が落ちることを防止することができる。
【００４３】
また、本実施の形態によれば、上述のように、他方の抜差し蝶番１１ｂのナックルに挿着された一方の抜差し蝶番１１ａの軸ピンを中心として、意匠枠８を容易に揺動させることができる（図５参照）。このため、図１３に示すように、乗場９０に設けられた仕上壁１５にホールランタンや押しボタンなどの表示装置が設けられている場合でも、容易に点検することができる。
【００４４】
すなわち、従来では、このように仕上壁１５にホールランタンや押しボタンなどの表示装置が設けられている場合には、昇降路側から作業者が点検を行っていた。これに対して、本実施の形態では、意匠枠８を一方の抜差し蝶番１１ａの軸ピンを中心として揺動させるだけで、容易に、このような表示装置を点検することができる。
【００４５】
ところで、上記では、意匠枠８の裏面に軸ピンを有する一方の抜差し蝶番１１ａが設けられ、縦補強枠９に一方の抜差し蝶番１１ａの軸ピンが着脱自在なナックルを有する他方の抜差し蝶番１１ｂが設けられる態様を用いて説明したが、これに限られることなく、縦補強枠９に軸ピンを有する一方の抜差し蝶番１１ａが設けられ、意匠枠８の裏面に一方の抜差し蝶番１１ａの軸ピンが着脱自在なナックルを有する他方の抜差し蝶番１１ｂが設けられてもよい。
【００４６】
第２の実施の形態
次に、図１４乃至図１６により、本発明の第２の実施の形態について説明する。図１４乃至図１６に示す第２の実施の形態は、上下方向に延在する縦補強枠９と、この縦補強枠９に抜差し蝶番セット１１を介して連結されるとともに、乗場９０側の仕上壁１５の壁面まで延び、上下方向に延在する意匠枠８が設けられる代わりに、縦枠２の上方部の間に延在する幕板取付枠２６と、この幕板取付枠２６に抜差し蝶番セット１１を介して連結されるとともに、各縦枠２の上方部の間で延在する幕板表面材３０とが設けられているものである。なお、抜差し蝶番セット１１は、幕板表面材３０に設けられ、軸ピンを有する一方の抜差し蝶番（第一開閉部材）１１ａと、幕板取付枠２６に設けられ、一方の抜差し蝶番１１ａの軸ピンが着脱自在なナックルを有する他方の抜差し蝶番（第二開閉部材）１１ｂとを有している。また、幕板取付枠２６には開口を有する鍵受け部材（図示せず）が設けられ、幕板表面材３０の裏面には、鍵受け部材５２の開口に挿入自在なラッチ部（図示せず）を有する鍵部材５０が取り付けられている。
【００４７】
その他の構成は図１乃至図１３に示す第１の実施の形態と略同一である。図１４乃至図１６に示す第２の実施の形態において、図１乃至図１３に示す第１の実施の形態と同一部分には同一符号を付して詳細な説明は省略する。
【００４８】
このような第２の実施の形態においても、第１の実施の形態と同様の作用、効果を奏することができる。以下、フロアの意匠変更を行う場合、幕板表面材３０が損傷した場合やリニューアルの改修工事などの場合に、旧い幕板表面材３０を新しい幕板表面材３０に交換する方法について説明する。
【００４９】
まず、鍵穴（図示せず）内に鍵（図示せず）を入れて回転させることによって、鍵受け部材の開口内に突出していたラッチ部を、鍵部材５０の内方へ移動させて鍵受け部材の開口から抜き出す（ロックを解除する）。
【００５０】
次に、他方の抜差し蝶番１１ｂのナックルに挿着された一方の抜差し蝶番１１ａの軸ピンを中心として、幕板表面材３０を揺動させる（図１４参照）。このとき、幕板表面材３０の裏面は、幕板取付枠２６に設けられたマグネット６０の磁力によって保持されているだけなので、幕板取付枠２６から容易に取り外すことができる（図１５参照）。なお、図１５は、本実施の形態による三方枠の縦断面図である。
【００５１】
次に、幕板表面材３０を水平方向に移動させ、一方の抜差し蝶番１１ａの軸ピンを、幕板取付枠２６に設けられた他方の抜差し蝶番１１ｂのナックルから抜き出す。その後、新しい幕板表面材３０の裏面に設けられた一方の抜差し蝶番１１ａの軸ピンを、幕板取付枠２６に設けられた他方の抜差し蝶番１１ｂのナックル内に差し込む。このことによって、新しい幕板表面材３０が、幕板取付枠２６に取り付けられることとなる。
【００５２】
次に、他方の抜差し蝶番１１ｂのナックルに挿着された一方の抜差し蝶番１１ａの軸ピンを中心として、幕板表面材３０を揺動させ（図１４参照）、幕板表面材３０を、幕板取付枠２６に設けられたマグネット６０の磁力によって保持させる。
【００５３】
このように、本実施の形態によれば、フロアの意匠変更を行う場合、三方枠が損傷した場合やリニューアルの改修工事などの場合に、上述のような一連の工程を行うだけで、旧い幕板表面材３０を新しい幕板表面材３０に、簡単な作業で容易に交換することができる。
【００５４】
また、本実施の形態において、抜差し蝶番セット１１が幕板表面材３０の裏面に設けられている。このため、乗場９０側から抜差し蝶番セット１１が目にとまることはなく、意匠性が落ちることを防止することができる。
【００５５】
なお、本実施の形態において、幕板表面材３０を開けたまま、幕板表面材３０に設けられた表示装置の点検などの作業を行う場合には、図１６に示すように、幕板表面材３０と幕板取付枠２６との間に、支持部材３２を挿入すればよい。
【００５６】
ところで、上記では、幕板表面材３０の裏面に軸ピンを有する一方の抜差し蝶番１１ａが設けられ、幕板取付枠２６に一方の抜差し蝶番１１ａの軸ピンが着脱自在なナックルを有する他方の抜差し蝶番１１ｂが設けられる態様を用いて説明したが、これに限られることなく、幕板取付枠２６に軸ピンを有する一方の抜差し蝶番１１ａが設けられ、幕板表面材３０の裏面に一方の抜差し蝶番１１ａの軸ピンが着脱自在なナックルを有する他方の抜差し蝶番１１ｂが設けられてもよい。
【図面の簡単な説明】
【００５７】
【図１】本発明の第１の実施の形態による三方枠の正面図。
【図２】本発明の第１の実施の形態による三方枠の意匠枠の斜視図。
【図３】本発明の第１の実施の形態による三方枠の取付ブランケットの斜視図。
【図４】本発明の第１の実施の形態による三方枠の意匠枠の裏面側を示す図。
【図５】本発明の第１の実施の形態において、意匠枠が縦補強枠に対して開閉される態様を示した平面図。
【図６】図１をVI-VIで切断して見た断面の一部を示した断面図。
【図７】本発明の第１の実施の形態による三方枠の開閉部材の斜視図。
【図８】本発明の第１の実施の形態による三方枠の取付ブランケットと取付ベースとの取り付け方法を示す斜視図。
【図９】図１をIX-IXで切断して見た断面の一部を示した断面図。
【図１０】本発明の第１の実施の形態によるマグネット取付部材と取付ブランケットとの取り付け方法を示す斜視図。
【図１１】図１をXI-XIで切断して見た断面の一部を示した断面図。
【図１２】本発明の第１の実施の形態による鍵部材と鍵受け部材との関係を示す斜視図。
【図１３】本発明の第１の実施の形態による三方枠において、建築物に設けられた表示装置を点検する態様を示す平面図。
【図１４】本発明の第２の実施の形態による三方枠の斜視図。
【図１５】本発明の第２の実施の形態による三方枠の縦断面図。
【図１６】本発明の第２の実施の形態による三方枠の幕板表面材を開けた態様を示す縦断面図。
【図１７】従来の上枠タイプの三方枠を示した正面図。
【図１８】従来の幕板タイプの三方枠を示した正面図。
【図１９】従来の三方枠の据付状態を示した正面図。
【図２０】図１９をＡ−Ａで切断した断面図。
【符号の説明】
【００５８】
２      縦枠
８      意匠枠
９      縦補強枠
１１    抜差し蝶番セット（開閉部材）
１１ａ  一方の抜差し蝶番（第一開閉部材）
１１ｂ  他方の抜差し蝶番（第二開閉部材）
１５    仕上壁（建築物）
２６    幕板取付枠
３０    幕板表面材
４０    キャスター（可動部材）
５２    鍵受け部材
５０ａ  ラッチ部
５０    鍵部材
６０    マグネット
９０    乗場
【図１】
2009166959.tif 000003
【図２】
2009166959.tif 000004
【図３】
2009166959.tif 000005
【図４】
2009166959.tif 000006
【図５】
2009166959.tif 000007
【図６】
2009166959.tif 000008
【図７】
2009166959.tif 000009
【図８】
2009166959.tif 000010
【図９】
2009166959.tif 000011
【図１０】
2009166959.tif 000012
【図１１】
2009166959.tif 000013
【図１２】
2009166959.tif 000014
【図１３】
2009166959.tif 000015
【図１４】
2009166959.tif 000016
【図１５】
2009166959.tif 000017
【図１６】
2009166959.tif 000018
【図１７】
2009166959.tif 000019
【図１８】
2009166959.tif 000020
【図１９】
2009166959.tif 000021
【図２０】
2009166959.tif 000022